(57)【要約】      （修正有）【課題】電源設置の柔軟性の増大を可能にする。【解決手段】電源１００は、シャーシ１０２と、シャーシ１０２に形成された複数の交流（ＡＣ）電源差し込み口１０４Ａ，１０４Ｂとを備えている。シャーシ１０２は複数の表面１０６を有し、複数の交流電源差し込み口は１０４Ａ、１０４Ｂは、これら複数のシャーシ表面１０６の前面１０６Ｆ及び後面１０６Ｒの２つに分散されている。  電源１００は多くの異なるシステムに適用できるコンポーネンとなることができるように、電子システムの前部または後部からプラグ接続できる。シャーシ１０２内には、複数のＡＣ電源差し込み口１０４Ａ，１０４Ｂのうちのいくつかに選択的に接続される電源回路を備えている。【選択図】図１Ａ
2006120157.tif 000002
【特許請求の範囲】
【請求項１】
シャーシと、
該シャーシに形成された複数の交流（ＡＣ）電源差し込み口と、
前記シャーシ内に収容されて、前記複数のＡＣ電源差し込み口のうちのいくつかに選択的に接続される電源回路と、
を備えている、電源。
【請求項２】
ハウジングと、
該ハウジング内に固定された複数の電子回路及びプリント回路基板と、
少なくとも１つの電源であって、さらに、
シャーシ、
該シャーシに形成された複数の交流（ＡＣ）電源差し込み口、及び、
前記シャーシ内に収容されて、前記複数のＡＣ電源差し込み口のうちのいくつかに選択的に接続される電源回路、
を有する少なくとも１つの電源と、
を備えている、電子システム。
【請求項３】
少なくとも１つのＡＣ電源差し込み口が前記ハウジングの内部に露出され、少なくとも１つのＡＣ電源差し込み口が前記ハウジングの外部に露出される配置で、前記ハウジング内に挿入されるように構成される前記少なくとも１つの電源と、
前記ハウジング内に収容され、前記内部に露出された少なくとも１つのＡＣ差し込み口に接続された交流（ＡＣ）導管と、
をさらに備えている、請求項２に記載の電子システム。
【請求項４】
少なくとも１つのＡＣ電源差し込み口が前記ハウジングの内部に露出され、少なくとも１つのＡＣ電源差し込み口が前記ハウジングの外部に露出される配置で、前記ハウジング内に挿入されるように構成される前記少なくとも１つの電源と、
前記ハウジングの外部にあり、前記外部に露出された少なくとも１つのＡＣ差し込み口に接続された交流（ＡＣ）電源ケーブルと、
をさらに備えている、請求項２に記載の電子システム。
【請求項５】
シャーシと、
該シャーシに形成された複数の交流（ＡＣ）電源差し込み口と、
を備えている、電源装置。
【請求項６】
前記複数のＡＣ電源差し込み口と、選択されたＡＣ電源差し込み口を前記電源回路に接続する電源回路との間に接続されたスイッチ、
をさらに備えている、請求項１に記載の電源、請求項２に記載の電子システム、又は請求項５に記載の電源装置。
【請求項７】
複数の表面を有するシャーシと、
前記複数のシャーシ表面の少なくとも２つに分散された複数の交流（ＡＣ）電源差し込み口と、
をさらに備えている、請求項１に記載の電源、請求項２に記載の電子システム、又は請求項５に記載の電源装置。
【請求項８】
前面及び後面を含む複数の表面を有するシャーシと、
該シャーシの前面及び後面にそれぞれ形成された２つの交流（ＡＣ）電源差し込み口と、
をさらに備えている、請求項１に記載の電源、請求項２に記載の電子システム、又は請求項５に記載の電源装置。
【請求項９】
前記シャーシの一部を覆って嵌合するように構成され、前記複数のＡＣ電源差し込み口のうちの選択されたものを露出する一方、前記複数のＡＣ電源差し込み口のうちの他のものを覆うように構成されるカバープレート、
をさらに備えている、請求項１に記載の電源、請求項２に記載の電子システム、又は請求項５に記載の電源装置。
【請求項１０】
前記シャーシに接続されて、前記カバープレートの配置を案内するように構成されるガイド部材、
をさらに備えている、請求項９に記載の電源、電子システム、又は電源装置。
【請求項１１】
前記カバープレートによって覆われるＡＣ電源差し込み口を密封するように構成される電磁妨害（ＥＭＩ）ガスケット、
をさらに備えている、請求項９に記載の電源、電子システム、又は電源装置。
【発明の詳細な説明】
【技術分野】
【０００１】
本発明は、電源、電子システム、又は電源装置に関する。
【背景技術】
【０００２】
経済的で競争力のある状況は、企業が運営を改善して、在庫コストを含むコストを削減するための刺激となる。運営は、競争上の優位性を改善する領域に設計資源及び開発資源を集中させると同時に、複数の製品にわたる他の製品アスペクトのコストをてこ入れすることによって、進歩する技術の分野で改善することができる。
【０００３】
コストのてこ入れによって、できる限り多くの製品にわたるコンポーネントの要求を集約することが可能になり、これは、規模の経済の改善、全体の数量割引、及び供給業者の価格の削減につながる。また、コンポーネントのてこ入れによって、コンポーネントのソート、ラベル付け、及び追跡が削減されるので、サプライチェーンコスト、ハンドリングコスト、及び在庫コストを削減することができる。
【０００４】
コンポーネントのてこ入れによって、他の領域のコストを削減することができる。例えば、複数の製品の特定のコンポーネントを使用することによって、調査コスト及び開発コストの重複を回避することができる。コンポーネントの個数を削減することによって、互換性のないコンポーネントを製品に不注意に含めることによる混乱及びエラーの発生率を削減することができる。
【０００５】
大量生産者においては、単に複数の製品間のコンポーネントを集約するたけで、数百万ドルもの在庫ハンドリングコスト及び追跡コストを削減することができる。
【発明の開示】
【０００６】
電子システムにおいて利用するための装置の一実施形態によれば、電源は、シャーシと、該シャーシに形成された複数の交流（ＡＣ）電源差し込み口と、前記シャーシ内に収容されて、前記複数のＡＣ電源差し込み口のうちのいくつかに選択的に接続される電源回路と、を備えている。
【０００７】
運営の構造及び方法の双方に関係する本発明の実施の形態は、以下の説明及び添付図面を参照することによって最も良く理解することが可能である。
【発明を実施するための最良の形態】
【０００８】
単一のコンポーネントに複数の交流（ＡＣ）入力差し込み口を備え、それによって、電源設置の柔軟性の増大を可能にすることにより、複数の電子製品間で単一の電源モデルを使用することができる。例示の構造ではさらに、前面から挿入される場合には第１のシステムタイプで電源を使用することが可能になり、後面から挿入される場合には第２のシステムタイプで電源を使用することが可能になる。複数の電子システム間で電源を集約することによって、在庫コスト、工具コスト、及び技術経費を削減することができる。複数のＡＣ入力差し込み口の電源によって、幅広い異なる製品タイプを含む複数の製品に対する適合性が改善されている。
【０００９】
また、複数のＡＣ入力差し込み口の電源によって、貯蔵品購入（supply purchase）における規模の経済も改善され、サプライチェーンのコストが削減され、ストックされる部品の個数が削減されることになる。
【００１０】
いくつかの実施の形態では、ＡＣ入力差し込み口は、電源シャーシの異なる側面に配置されている。
【００１１】
図１Ａ及び図１Ｂを参照すると、斜視図が、電源の実施の形態１００の前面及び後面を示している。この電源装置１００は、シャーシ１０２、及び、シャーシ１０２によって収容又は保持される複数の交流（ＡＣ）電源差し込み口１０４Ａ，１０４Ｂを備えている。
【００１２】
シャーシ１０２は、複数の表面１０６を有し、複数のＡＣ電源差し込み口１０４Ａ，１０４Ｂは、これら複数のシャーシ表面の少なくとも２つに分散されている。この例示の実施の形態では、シャーシ１０２の複数の表面１０６は、前面１０６Ｆ及び後面１０６Ｒを含んでいる。２つのＡＣ電源差し込み口１０４Ａ，１０４Ｂは、シャーシの前面１０６Ｆ及び後面１０６Ｒにそれぞれ形成されている。
【００１３】
例示の電源装置１００は、当該電源１００が多くの異なるシステムタイプにおいて適合性のあるコンポーネントとなることができるように、電子システムの前部又は後部のいずれにもプラグ接続することが可能となっている。
【００１４】
複数のＡＣ電源差し込み口１０４Ａ、１０４Ｂを使用することによって、複数の製品間で同じ電源を利用することが可能になり、交換用にストックされるさまざまな部品の個数が削減されることにより、供給コストが低減され、設計及び開発される電源の個数が削減されることにより、開発コストが低減されることになる。
【００１５】
さまざまな実施の形態では、電源１００は、高可用性を得るためにホットスワップ可能とすることができ、それによって、システムの電源を落とすことなく、迅速且つ簡単な交換が可能になる。
【００１６】
図２Ａ及び図２Ｂを参照すると、斜視図は、カバープレート２０２を備えた電源２００の実施の形態の前面及び後面を示している。このカバープレート２０２は、シャーシ１０２の一部を覆って嵌合するように構成され、複数のＡＣ電源差し込み口のうちの選択されたものを露出する一方、他のＡＣ電源差し込み口を覆うように構成されている。
【００１７】
カバープレート２０２は、スライドカバーとして構成することが可能である。このスライドカバーは、使用されないＡＣ電源差し込み口を覆って、電磁妨害（ＥＭＩ）を低減し、電力供給されたＡＣ入力差し込み口が露出することによって発生するおそれがある感電（shock）の可能性を減らしている。カバープレート２０２は、任意の適切な材料から構成されている。カバープレートの材料の例には、通常、シートメタル等のさまざまな金属及びプラスチックが含まれている。一実施の形態では、カバープレート２０２は、折り曲げることを可能にする切り込みを金属に有する指で折り曲げられる（finger-folded）シートメタルから構成されている。カバープレート２０２は、電源シャーシの所定の位置にカチッと嵌まることが可能となっている。別の例では、カバープレートは、或る差し込み口を覆う一方、別の差し込み口を露出する４節リンク（four-bar linkage）の形式で配置されている。
【００１８】
カバープレート２０２は、当該プレートが差し込み口を物理的に選択する際に、さまざまな差し込み口から電気的に選択を行うスイッチを含むように構成されていてもよい。電源及びカバープレート２０２の例示の配置では、カバープレート２０２をスライドさせると、差し込み口の配置により、ＡＣ電源差し込み口が切り換えられる。
【００１９】
いくつかの実施の形態では、電源装置２００は、電磁妨害（ＥＭＩ）ガスケット２０４を備えることが可能である。このＥＭＩガスケット２０４は、カバープレート２０２によって覆われるＡＣ電源差し込み口を密封するように構成されている。ＥＭＩガスケット２０４は、カバープレート内に組み込まれて、電源プラグが差し込み口に差し込まれないで残った割れ目を密封するように機能している。
【００２０】
ＥＭＩガスケット２０４は、例えば、ＥＭＩ保護スプリングフィンガ（EMI protection spring finger）を使用して、差し込み口の割れ目を密封し、接点間の距離を低減させている。２つの差し込み口を有する電源は、場合によっては、覆われる差し込み口の位置に割れ目又は穴を有する可能性がある。
【００２１】
いくつかの実施の形態では、ＥＭＩガスケット２０４をカバープレート２０２に取り付けて、カバープレート２０２が配置される際に所定の場所にスライドさせることが可能となっている。それによって、伝導性放射が低減されることになる。スライドするカバープレート２０２は、露出した差し込み口を密封している。
【００２２】
他の実施の形態では、ＥＭＩガスケットをカバープレートから分離することが可能であり、それによって、ＥＭＩガスケットがカバープレートではなく差し込み口に関連付けられて、カバープレートがスライドする際のガスケットの巻き込みを回避している。ＥＭＩガスケットがカバープレートではなく差し込み口に関連付けられると、カバープレートは、ガスケットの密封を容易にするように機能することになる。
【００２３】
図３Ａを参照すると、概略ブロック図が、電源３００の一実施の形態を示している。この電源３００は、シャーシ３０２、シャーシ３０２に形成された複数の交流（ＡＣ）電源差し込み口３０４、及び電源回路３０６を備えている。電源回路３０６は、シャーシ３０２内に収容され、選択されたＡＣ電源差し込み口３０４に接続されている。
【００２４】
この例示の実施の形態では、２つのＡＣ入力差し込み口３０４は、電源回路３０６及び／又はトランス３１４への単一の入力源を形成するように相互接続されている。電源回路３０６及び／又はトランス３１４は、直流３１６を供給する１つ又は複数のラインへの交流／直流（ＡＣ／ＤＣ）電圧変換経路を形成している。
【００２５】
従来の電源は、１つのＡＣ入力電力源、及び、１つ又は複数のＤＣ出力電圧を有している。これとは対照的に、例示の電源３００は、２つ又は３つ以上の交流（ＡＣ）電力入力差し込み口を備え、電力を異なる電力源から供給できるようになっている。例示の実施の形態では、電子システムの後部及び前部の双方から電力を供給することが可能である。電源３００は、交流（ＡＣ）から直流（ＤＣ）へ電力を変換し、ＤＣ電力を直流インターフェース３１６へ供給するようになっている。
【００２６】
図３Ａに示す実施の形態では、ＡＣ電源差し込み口３０４は単純に互いに結線されており、ＡＣ入力差し込み口３０４及びいくつかの配線を追加するコストが限られている複数のさまざまな用途に電源３００を利用できるようになっている。
【００２７】
図３Ｂは、非常に簡単な回路を含む電源３１０の実施の形態である。この非常に簡単な回路は、例えば、複数のＡＣ電源差し込み口３０４と電源回路３０６との間に接続されて、アクティブなＡＣ入力ラインを選択するためのスイッチ３１２である。このスイッチ３１２は、電源回路３０６へ接続するためのＡＣ電源差し込み口を選択している。
【００２８】
図４Ａ、図４Ｂ、及び図４Ｃを参照すると、３つの図が、電子システム４００の一実施の形態を示している。この電子システム４００は、複数の交流（ＡＣ）電源差し込み口４０４を有する１つ又は複数の電源４０２を備えている。図４Ａ及び図４Ｂは、電子システム４００のそれぞれ上面斜視図及び側面斜視図を示している。図４Ｃは、電子システム４００の平面図を示している。電子システム４００は、ハウジング４０６、ハウジング４０６内に固定された複数の電子回路４０８及びプリント回路基板４１０、並びに少なくとも１つの電源４０２を備えている。電源の１つ又は複数は、さらに、シャーシ４１２、シャーシ４１２に形成された複数の交流（ＡＣ）電源差し込み口４０４、及び、シャーシ４１２内に収容されて選択されたＡＣ電源差し込み口４０４に選択的に接続される電源回路を備えることが可能である。
【００２９】
電源４０２は、より大きな電子システム４００に電力を供給するのに使用され、多くの実施の形態では、ハウジング４０６の前部又は後部から挿入されるようになっている。ただし、任意の適切な方法での差し込みも可能である。
【００３０】
例示の電源４０２は、少なくとも１つのＡＣ電源差し込み口がハウジング４０６の内部に露出され、少なくとも１つのＡＣ電源差し込み口がハウジング４０６の外部に露出される配置で、ハウジング４０６に挿入されるように構成されている。内部のＡＣ電源差し込み口は、適切な電力ラインを介して電力源に接続されている。この適切な電力ラインは、例えば、ハウジング４０６内に収容されて、内部に露出したＡＣ差し込み口４０４に接続された交流（ＡＣ）導管４１４である。外部のＡＣ電源差し込み口４０４を介した電源への接続は、ハウジング４０６の外部の交流（ＡＣ）電源ケーブル４１６及び導管４１４を介して行うことが可能である。
【００３１】
いくつかの構成では、例示の電子システム４００は、カバープレート４１８を使用する電源４０２の実施の形態を備えている。このカバープレート４１８は、シャーシの一部を覆って嵌合するように構成され、複数のＡＣ電源差し込み口のうちの選択されたものを露出する一方、複数のＡＣ電源差し込み口の他のものを覆うように構成されている。例示の一実施の形態では、カバープレート４１８は、現在使用されていない差し込み口を覆うのに使用できるカチッと嵌まる取り外し可能なカバーとしてもよい。図３Ｂに示すように、スイッチ３１２は、カバープレート４１８と組み合わせて使用することができ、使用されていないＡＣ入力差し込み口を電気的に無能力にするために組み込むことが可能である。
【００３２】
いくつかの実施の形態では、例えば、図４Ａに示すように、ガイド部材４２０をシャーシ４１２に接続して、カバープレート４１８の配置を案内するように構成することが可能である。このガイド部材４２０は、カバープレート４１８をシャーシ４１２の適切な位置に移動させて、選択されたＡＣ入力差し込み口を露出し、選択されていない差し込み口を覆うように構成されている。例示の電源４０２では、ガイド部材４２０は、電源４０２が電子システムのハウジング４０６の所定の位置にスライドするにつれて、カバープレート４１８を正しい位置に移動させるような突出した三角形状（raised triangle）に形成されている。
【００３３】
図４Ａは、前部から電子システム４００内へスライドする電源４０２を示し、カバープレート４１８を適切な位置に移動させるガイド部材特徴部４２０を象徴的に表している。電源４０２を後部からシステム４００内へスライドさせる場合も、同様の構成を有している。ただし、三角形のガイド部材４２０は、カバープレート４１８を電源の他方の側へ移動させるように反対方向を向いている。
【００３４】
本開示はさまざまな実施の形態を説明しているが、これらの実施の形態は、例示として理解されるべきであり、特許請求の範囲を限定するものではない。説明した実施の形態の多くの変形、変更、追加、及び改良が可能である。例えば、当業者は、本明細書に開示した構造及び方法を提供するのに必要なステップを容易に実施し、プロセスパラメータ、材料、及び寸法が単なる例として与えられることを理解するであろう。パラメータ、材料、及び寸法は、所望の構造及び変更を達成するために変化する可能性があり、それらの構造及び変更も、特許請求の範囲内に含まれる。例えば、ＡＣ電源差し込み口は、電源の対向する前側及び後側に示されている。さまざまな実施の形態では、差し込み口は、電源シャーシの任意の適切な表面に配置することができる。電源は、任意の形状又はサイズにすることができ、任意の個数の差し込み口を有することができる。カバープレートは任意の形状にすることができる。
【００３５】
特許請求の範囲では、特に指定のない限り、数詞のない用語は「１つ又は複数」を指すものとする。
【図面の簡単な説明】
【００３６】
【図１Ａ】電源の実施の形態の前面を示す斜視図である。
【図１Ｂ】電源の実施の形態の後面を示す斜視図である。
【図２Ａ】カバープレートを備える電源の実施の形態の前面を示す斜視図である。
【図２Ｂ】カバープレートを備える電源の実施の形態の後面を示す斜視図である。
【図３Ａ】電源の実施の形態を示す概略ブロック図である。
【図３Ｂ】電源の実施の形態を示す概略ブロック図である。
【図４Ａ】電子システムを示す上面斜視図である。
【図４Ｂ】電子システムを示す側面斜視図である。
【図４Ｃ】電子システムを示す平面図である。
【符号の説明】
【００３７】
１００  電源
１０２  シャーシ
１０４  交流（ＡＣ）電源差し込み口
３０６  電源回路
【図１Ａ】
2006120157.tif 000003
【図１Ｂ】
2006120157.tif 000004
【図２Ａ】
2006120157.tif 000005
【図２Ｂ】
2006120157.tif 000006
【図３Ａ】
2006120157.tif 000007
【図３Ｂ】
2006120157.tif 000008
【図４Ａ】
2006120157.tif 000009
【図４Ｂ】
2006120157.tif 000010
【図４Ｃ】
2006120157.tif 000011